(57)【要約】      （修正有）【課題】蓄電素子が変形しても、該蓄電素子の冷却性能の低下を防止することのできる蓄電装置を提供する。【解決手段】蓄電装置は、蓄電素子と、該蓄電素子に隣接するスペーサ２Ａと、蓄電素子及びスペーサ２Ａを保持する保持部材とを備え、蓄電素子は、スペーサ２Ａと対向する対向面を有し、スペーサ２Ａは蓄電素子の対向面の中央部と対向する中央部領域２００Ａび中央部領域２００Ａ周辺の他の領域を含むベース２０Ａと、ベース２０Ａから隣り合う蓄電素子に向かって延びるリブ２５Ａとを有し、スペーサ２Ａは中央部領域２００Ａの剛性が他の領域の剛性よりも高くなるようにリブ２５Ａが形成される。【選択図】図６
2016115481.tif 000002
【特許請求の範囲】
【請求項１】
蓄電素子と、
該蓄電素子に隣接するスペーサと、
前記蓄電素子及び該スペーサを保持する保持部材とを備え、
前記蓄電素子は、前記スペーサと対向する対向面を有し、
前記スペーサは、
前記蓄電素子の対向面の中央部と対向する中央部領域及び該中央部領域周辺の他の領域を含むベースと、
前記ベースから該ベースと隣り合う蓄電素子に向かって延びるリブと、を有し、
前記スペーサでは、該スペーサの中央部領域の剛性が該スペーサの他の領域の剛性よりも高くなるように前記リブが形成される
蓄電装置。
【請求項２】
前記リブは、前記ベースの他の領域よりも、前記ベースの中央部領域において密に設けられる
請求項１に記載の蓄電装置。
【請求項３】
前記ベースの中央部領域に設けられるリブは、前記ベースの他の領域に設けられるリブよりも厚肉である
請求項１又は２に記載の蓄電装置。
【請求項４】
前記ベースの中央部領域に設けられるリブは、前記ベースの他の領域に設けられるリブよりも硬質の材料によって構成される
請求項１乃至３の何れか一項に記載の蓄電装置。
【請求項５】
前記ベースの中央部領域に設けられるリブの延出量は、前記ベースの他の領域に設けられるリブの延出量よりも大きく設定される
請求項１乃至４の何れか一項に記載の蓄電装置。
【請求項６】
前記ベースの他の領域に設けられるリブの延出量は、前記ベースの中央部領域に設けられるリブの延出量よりも大きく設定され、
前記ベースの他の領域に設けられるリブは、前記ベースの中央部領域に設けられるリブよりも高い柔軟性を有する
請求項１乃至４の何れか一項に記載の蓄電装置。
【発明の詳細な説明】
【技術分野】
【０００１】
本発明は、蓄電素子を備える蓄電装置に関する。
【背景技術】
【０００２】
従来から、各種機器の電源として、組電池が提供されている。かかる組電池は、電池セルと、該電池セルに隣接するセパレータと、前記電池セル子及び該セパレータを保持するバインドバーとを備えている。
【０００３】
前記電池セルは、前記セパレータと対向する対向面を有する。より具体的に説明する。前記電池セルは、正極及び負極を含む電極体を収容するケースを有する。そして、前記ケースは、開口を有するケース本体と、該ケース本体の開口を閉じる蓋板とを有する。
【０００４】
前記電池セルでは、前記ケース本体が前記セパレータ（後述するセパレータ本体部）と隣接する。そのため、前記電池セルの対向面は、該電池セルと前記セパレータとが並ぶ方向における前記ケース本体の一面によって構成される。
【０００５】
前記セパレータは、前記電池セルの対向面の中央部と対向する中央部領域及び該中央部領域周辺の他の領域を含むセパレータ本体部と、該セパレータ本体部から隣り合う電池セルに向かって延びるリブとを有する。
【０００６】
前記セパレータのリブは、前記電池セルの対向面に当接する。そのため、前記組電池では、前記電池セルの対向面と、前記セパレータ本体部との間に空間が形成される。
【０００７】
従って、前記組電池では、前記電池セルの対向面と前記セパレータ本体部との間の空間に気体を流通させることによって、電池セルを冷却することができるとされている。
【０００８】
ところで、前記組電池の電池セルでは、前記ケース本体が変形することがある。より具体的に説明する。前記電池セルでは、例えば、充放電が繰り返されることで前記ケース本体が膨張し、対向面が変形することがある。
【０００９】
この場合、電池セルの対向面は、前記セパレータ本体部に向けて凸状に湾曲するため、前記電池セルの対向面と前記セパレータ本体部との間の空間が減少する。特に、電池セルは、前記対向面の中央部側になるにつれて変形しやすくなる。このため、前記対向面の中央部と前記セパレータ本体部との間の空間は、より顕著に減少する傾向にある。
【００１０】
従って、前記組電池では、前記電池セルが変形するに伴い、該電池セルの対向面と前記セパレータ本体部との間を流通する冷却気体の流量が減少し、電池セルの冷却性能が低下することがある。
【先行技術文献】
【特許文献】
【００１１】
【特許文献１】特開２０１２−１２３９０５号公報
【発明の概要】
【発明が解決しようとする課題】
【００１２】
そこで、本発明は、斯かる実情に鑑み、蓄電素子が変形しても、該蓄電素子の冷却性能の低下を防止することのできる蓄電装置を提供することを課題とする。
【課題を解決するための手段】
【００１３】
本発明の蓄電装置は、
蓄電素子と、
該蓄電素子に隣接するスペーサと、
前記蓄電素子及び該スペーサを保持する保持部材とを備え、
前記蓄電素子は、前記スペーサと対向する対向面を有し、
前記スペーサは、
前記蓄電素子の対向面の中央部と対向する中央部領域及び該中央部領域周辺の他の領域を含むベースと、
前記ベースから該ベースと隣り合う蓄電素子に向かって延びるリブと、を有し、
前記スペーサでは、該スペーサの中央部領域の剛性が該スペーサの他の領域の剛性よりも高くなるように前記リブが形成される。
【００１４】
上記構成の蓄電装置によれば、蓄電素子にスペーサが隣接し、さらに、スペーサのリブがベースから該ベースと隣り合う蓄電素子に向かって延びる。そのため、スペーサのリブは、蓄電素子の対向面に当接している。これにより、蓄電素子の対向面とベースとの間に空間が形成される。従って、蓄電素子の対向面とベースとの間の空間に冷却用の流体（冷却流体）を流通させることで蓄電素子を冷却することができる。
【００１５】
また、上記構成の蓄電装置におけるスペーサでは、該スペーサの中央部領域の剛性が他の領域の剛性よりも高くなるようにリブが形成される。そのため、蓄電装置では、蓄電素子における対向面の中央部の変形（膨張）が抑えられると共に、該中央部領域のリブが前記変形しようとする対向面に押されて変形する（潰れる）のが抑えられる。従って、蓄電装置では、蓄電素子の対向面とスペーサのベースとの間の空間の減少が抑えられ、これにより、蓄電素子の冷却性能の低下が抑えられる。尚、本発明において、スペーサの中央部領域は、ベースの中央部領域と該領域に設けられたリブとを含む領域であり、スペーサの他の領域は、ベースの他の領域と該領域に設けられたリブとを含む領域である。
【００１６】
前記蓄電装置では、
前記リブは、前記ベースの他の領域よりも、前記ベースの中央部領域において密に設けられる
ようにしてもよい。
【００１７】
このようにすれば、スペーサの中央部領域の剛性をスペーサの他の領域の剛性よりも高めることができるため、蓄電素子の対向面の変形を抑えると共に、スペーサの中央部領域のリブが前記変形しようとする対向面に押されて変形するのを抑えることができる。従って、蓄電装置では、蓄電素子の対向面とスペーサのベースとの間の空間の減少が抑えられ、これにより、蓄電素子の冷却性能の低下が抑えられる。
【００１８】
また、前記蓄電装置では、
前記ベースの中央部領域に設けられるリブは、前記ベースの他の領域に設けられるリブよりも厚肉である
ようにしてもよい。
【００１９】
このようにすれば、ベースの中央部領域に設けられるリブの剛性がベースの他の領域に設けられるリブの剛性よりも高くなる。そのため、スペーサの中央部領域の剛性がスペーサの他の領域の剛性よりも高くなり、これにより、蓄電素子の対向面の変形を抑えると共に、スペーサの中央部領域のリブが前記変形しようとする対向面に押されて変形するのを抑えることができる。従って、蓄電装置は、蓄電素子の対向面とスペーサのベースとの間の空間が減少することが抑えられ、これにより、蓄電素子の冷却性能の低下が抑えられる。
【００２０】
また、前記蓄電装置では、
前記ベースの中央部領域に設けられるリブは、前記ベースの他の領域に設けられるリブよりも硬質の材料によって構成される
ようにしてもよい。
【００２１】
このようにしても、ベースの中央部領域に設けられるリブの剛性がベースの他の領域に設けられるリブの剛性よりも高くなる。そのため、スペーサの中央部領域の剛性をスペーサの他の領域の剛性よりも高めることができ、これにより、蓄電素子の対向面の変形を抑えると共に、スペーサの中央部領域のリブが前記変形しようとする対向面に押されて変形するのを抑えることができる。従って、蓄電装置は、蓄電素子の対向面とスペーサのベースとの間の空間が減少することが抑えられ、これにより、蓄電素子の冷却性能の低下が抑えられる。
【００２２】
さらに、前記蓄電装置では、
前記ベースの中央部領域に設けられるリブの延出量は、前記ベースの他の領域に設けられるリブの延出量よりも大きく設定される
ようにしてもよい。
【００２３】
このようにすれば、蓄電装置として組み上がった状態では、蓄電素子の対向面によるベースの中央部領域に設けられるリブの圧縮量が、蓄電素子の対向面によるベースの他の領域に設けられるリブの圧縮量よりも大きくなる。
【００２４】
これにより、ベースの中央部領域に設けられるリブの剛性がベースの他の領域に設けられるリブの剛性よりも高まる。そのため、スペーサの中央部領域の剛性がスペーサの他の領域の剛性よりも高められ、これにより、蓄電素子の対向面の変形が抑えられると共に、スペーサの中央部領域のリブが前記変形しようとする対向面に押されて変形するのが抑えられる。従って、蓄電装置は、蓄電素子の対向面とスペーサのベースとの間の空間が減少することを抑えることで、蓄電素子の冷却性能の低下を防止することができる。
【００２５】
また、前記蓄電装置では、
前記ベースの他の領域に設けられるリブの延出量は、前記ベースの中央部領域に設けられるリブの延出量よりも大きく設定され、
前記ベースの他の領域に設けられるリブは、前記ベースの中央部領域に設けられるリブよりも高い柔軟性を有する
ようにしてもよい。
【００２６】
かかる構成によれば、スペーサの中央部領域のリブがスペーサの他の領域のリブより硬いため、蓄電素子の対向面が変形したときに該中央部領域のリブが変形し難く、これにより、蓄電素子の対向面とスペーサのベースとの間の空間の減少が抑えられ、その結果、蓄電素子の冷却性能の低下が抑えられる。
【００２７】
しかも、スペーサの他の領域のリブが柔軟性を有しているため、蓄電素子の対向面が変形したときに、前記対向面の外側ほどベースから離間して間隔が大きくなるが、前記対向面の変形前には該対向面によってベース側に押さえ付けられ圧縮されていた前記他の領域のリブが、前記対向面のベースからの離間に追従して延びる。これにより、蓄電素子の対向面が変形しても該対向面と前記他の領域のリブとの接触が維持される。即ち、前記対向面と前記他の領域のリブとの接触位置での気密状態が維持される。
【００２８】
その結果、蓄電素子の対向面とスペーサのベースとの間の空間の減少を防ぐと共に、前記空間の気密性を維持して該空間に供給される冷却流体の外部への漏れを防ぐことができる。
【発明の効果】
【００２９】
以上のように、本発明の蓄電装置によれば、蓄電素子が変形しても、該蓄電素子の冷却性能の低下を防止することができるという優れた効果を奏し得る。
【図面の簡単な説明】
【００３０】
【図１】図１は、本発明の一実施形態に係る蓄電装置の斜視図である。
【図２】図２は、前記蓄電装置における蓄電素子の斜視図である。
【図３】図３は、前記蓄電素子の正面図である。
【図４】図４は、前記蓄電装置の構成を一部省略した状態の分解斜視図である。
【図５】図５は、前記蓄電装置の構成を一部省略した状態の分解斜視図である。
【図６】図６は、前記蓄電装置の内部スペーサの斜視図である。
【図７】図７は、前記蓄電素子から前記内部スペーサに加わる力の大きさを説明するための図である。
【図８】図８は、他実施形態に係る蓄電装置の内部スペーサの斜視図である。
【図９】図９は、他実施形態に係る蓄電装置の内部スペーサの斜視図である。
【図１０】図１０は、他実施形態に係る蓄電装置の内部スペーサの模式図である。
【図１１】図１１は、他実施形態に係る蓄電装置の内部スペーサの模式図である。
【図１２】図１２は、前記内部スペーサと蓄電素子とが嵌め合わされた状態の模式図である。
【図１３】図１３は、他実施形態に係る蓄電装置の内部スペーサの模式図である。
【図１４】図１４は、前記内部スペーサと蓄電素子とが嵌め合わされた状態の模式図である。
【図１５】図１５は、前記内部スペーサと蓄電素子とが嵌め合わされた状態において蓄電素子のケースが膨張したときの模式図である。
【発明を実施するための形態】
【００３１】
以下、本発明の一実施形態について、図１〜図７を参照しつつ説明する。尚、本実施形態の各構成部材（各構成要素）の名称は、本実施形態におけるものであり、背景技術における各構成部材（各構成要素）の名称と異なる場合がある。
【００３２】
蓄電装置は、図１に示すように、蓄電素子１と、該蓄電素子１に隣り合うスペーサ２と、蓄電素子１及びスペーサ２をひとまとめに保持する保持部材３とを備える。保持部材３は、導電材料により成形される。これに伴い、蓄電装置は、蓄電素子１と保持部材３との間に配置される、絶縁素材であるインシュレータ４を備える。
【００３３】
蓄電素子１は、スペーサ２と対向する対向面を有する。具体的に、蓄電素子１は、図２及び図３に示すように、正極及び負極を含む電極体１５（図７参照）と、電極体１５を収容するケース１０と、ケース１０の外面上に配置された一対の外部端子１１とを備える。
【００３４】
ケース１０は、開口を有するケース本体１００と、ケース本体１００の開口を閉じる蓋板１０１であって、外面上に一対の外部端子１１が配置される蓋板１０１とを有する。
【００３５】
ケース本体１００は、閉塞部１００ａと（図３参照）、該閉塞部１００ａを取り囲むように、該閉塞部１００ａの周縁に接続された筒状の胴部１００ｂとを備える。
【００３６】
胴部１００ｂは、間隔をあけて互いに対向する一対の第一壁１００ｃと、一対の第一壁１００ｃを挟んで互いに対向する一対の第二壁１００ｄとを備える。
【００３７】
第一壁１００ｃ及び第二壁１００ｄのそれぞれは、矩形状に形成される。即ち、第一壁１００ｃ及び第二壁１００ｄのそれぞれの表面は、平坦面であり、四角形状の領域とされている。第一壁１００ｃ及び第二壁１００ｄは、互いの端縁を突き合わせた状態で隣り合って配置される。隣り合う第一壁１００ｃの端縁及び第二壁１００ｄの端縁同士は、全長に亘って接続される。これにより、胴部１００ｂは、角筒状に形成されている。胴部１００ｂの一端は、閉塞部１００ａによって閉塞されている。これに対し、ケース本体１００における胴部１００ｂの他端は、開口している。この開口は、蓋板１０１によって閉塞される。本実施形態において、第一壁１００ｃの表面積は、第二壁１００ｄの表面積よりも広くなっている。このため、胴部１００ｂは、扁平な角筒状である。また、本実施形態では、第一壁１００ｃの表面が、スペーサ２と対向する対向面である。
【００３８】
本実施形態に係る蓄電装置は、複数の蓄電素子１を備える。複数の蓄電素子１のそれぞれは、一方向（第一方向）に整列する。本実施形態において、複数の蓄電素子１のそれぞれは、ケース１０の第一壁１００ｃを一方向（第一方向）に向けて整列している。蓄電装置は、隣り合う二つの蓄電素子１の外部端子１１同士を電気的に接続する図略のバスバーを備える。
【００３９】
尚、以下の説明において、便宜上、蓄電素子１の整列する方向（第一方向）をＸ軸方向という。また、三軸が互いに直交する座標系（直交座標系）において、蓄電素子１の整列する方向（Ｘ軸方向）と直交する二軸方向のうちの一つの方向（第二方向）をＹ軸方向といい、残りの一つの方向（第三方向）をＺ軸方向ということとする。これに伴い、各図面には、Ｘ軸方向、Ｙ軸方向、及びＺ軸方向のそれぞれに対応する直交三軸（座標軸）が補助的に図示されている。
【００４０】
スペーサ２は、絶縁性を有する。スペーサ２は、蓄電素子１（詳しくは、ケース１０、より詳しくは、胴部１００ｂの第一壁１００ｃ）と隣接するベースと、前記ベースから該ベースと隣接する蓄電素子１に向かって延びるリブと、を有する。また、本実施形態のスペーサ２は、前記ベースに隣接する蓄電素子１の位置ずれを防止する規制部も有する。
【００４１】
スペーサ２について、より具体的に説明する。蓄電装置は、上述のように、複数の蓄電素子１を備える。これに伴い、蓄電装置は、図４及び図５に示すように、２種類のスペーサ２（２Ａ，２Ｂ）を備える。即ち、蓄電装置は、二つの蓄電素子１間に配置されるスペーサ（以下、内部スペーサという）２Ａと、複数の蓄電素子１のうちの最も端にある蓄電素子１に隣り合うスペーサ（以下、外部スペーサという）２Ｂとを備える。
【００４２】
まず、図６及び図７も参照しつつ、内部スペーサ２Ａについて説明する。内部スペーサ２Ａは、隣接する蓄電素子１との間に冷却流体がＹ軸方向（第二方向）に流通可能な通風路２０３を形成する（図１参照）。具体的に、内部スペーサ２Ａは、蓄電素子１（ケース本体１００の第一壁１００ｃ）に隣り合うベース２０Ａと、ベース２０Ａから該ベース２０Ａと隣接する蓄電素子１に向かって延びるリブ２５Ａと、を有する。また、内部スペーサ２Ａは、ベース２０Ａに隣接する蓄電素子１の該ベース２０Ａに対する位置ずれを抑える規制部２１Ａを有する。本実施形態の内部スペーサ２Ａは、ベース２０Ａから突出した弁カバー部２２Ａであって、蓄電素子１の蓋板１０１（ガス排出弁１０１ａ）上に配置される弁カバー部２２Ａを有する。この内部スペーサ２Ａでは、内部スペーサ２Ａの中央部領域の剛性が、前記中央部領域の周辺の他の領域（以下では、内部スペーサ２Ａの他の領域という。）の剛性よりも高くなるようにリブ２５Ａが形成されている。詳しくは、以下の通りである。
【００４３】
内部スペーサ２Ａのベース２０Ａは、二つの蓄電素子１に挟み込まれる。即ち、内部スペーサ２Ａのベース２０ＡのＸ軸方向の両側に蓄電素子１がそれぞれ配置されている。このベース２０Ａは、Ｘ軸方向と直交する方向（Ｙ−Ｚ平面（Ｙ軸とＺ軸を含む平面）方向）に拡がる平板状の部位である。この内部スペーサ２Ａのベース２０Ａは、隣り合う二つの蓄電素子１のうちの一方の蓄電素子１と対向する第一面と、該第一面とは反対側の第二面であって、二つの蓄電素子１のうちの他方の蓄電素子１と対向する第二面とを有する。この内部スペーサ２Ａのベース２０Ａは、Ｘ軸方向視において、略矩形状（蓄電素子１に対応する形状）である。このベース２０Ａは、蓄電素子１の第一壁１００ｃと略同等の（対応する）大きさである。以下では、内部スペーサ２Ａのベース２０Ａにおける蓄電素子１の第一壁１００ｃの中央部（本実施形態の例ではＺ軸方向における中央部）と対向する領域を中央部領域２００Ａと称し、中央部領域２００Ａの周辺領域を他の領域２０１Ａと称する。また、内部スペーサ２Ａにおいて、ベース２０Ａの中央部領域２００Ａと該領域２００Ａに設けられたリブ２５Ａとを含む領域を、内部スペーサ２Ａの中央部領域と称し、ベース２０Ａの他の領域２０１Ａと該領域２０１Ａに設けられたリブ２５Ａとを含む領域を内部スペーサ２Ａの他の領域と称する。
【００４４】
蓄電装置において、内部スペーサ２Ａのベース２０Ａの第一面と蓄電素子１との間、及び内部スペーサ２Ａのベース２０Ａの第二面と蓄電素子１との間の少なくとも何れか一方には、流体（冷却用の流体）を通過させるための通風路２０３が形成される。本実施形態の蓄電装置では、リブ２５Ａによって通風路２０３が形成される。即ち、内部スペーサ２Ａは、通風路２０３を通過する冷却用の流体が蓄電素子１の表面に直接接触するように、隣り合う蓄電素子１との間に通風路２０３を形成する。これにより、蓄電素子１の冷却が効果的に行われる。
【００４５】
リブ２５Ａは、ベース２０ＡからＸ軸方向に延びる（突出する）と共に、Ｙ軸方向に延びる。このリブ２５Ａは、ベース２０Ａの第一面と第二面とに複数ずつ設けられる。本実施形態の内部スペーサ２Ａでは、ベース２０Ａの第一面に設けられるリブ２５Ａの数と、ベース２０Ａの第二面に設けられるリブ２５Ａの数とは、同じである。そして、第一面に設けられるリブ２５Ａと第二面に設けられるリブ２５Ａとが、Ｚ軸方向において同じ位置に設けられている。即ち、第一面に設けられるリブ２５Ａと第二面に設けられるリブ２５Ａとが、Ｘ軸方向において重なる位置にそれぞれ設けられている（図７参照）。
【００４６】
内部スペーサ２Ａのベース２０Ａの各面において、複数のリブ２５Ａは、Ｚ軸方向に間隔をおいて互いに平行に配置される。そして、各リブ２５Ａは、ベース２０Ａの他の領域２０１Ａより、ベース２０Ａの中央部領域２００Ａにおいて密に設けられる。本実施形態の内部スペーサ２Ａでは、ベース２０Ａの中央部領域２００Ａに五つのリブ２５Ａが設けられ、Ｚ軸方向に中央部領域２００Ａを挟む二つの他の領域２０１Ａに、一つのリブ２５Ａがそれぞれ設けられている。尚、内部スペーサ２Ａの製造方法では、ベース２０Ａとリブ２５Ａとが別々に成型され、これらベース２０Ａとリブ２５とが接着その他の方法によって接合されてもよいが、ベース２０Ａと各リブ２５とが一体に成型されることが好ましい。一体に成型されることにより、部品点数が最小限に抑えられ、且つ蓄電装置の組み立てに係る工数も最低限に抑制できる。
【００４７】
以上のように設けられる複数のリブ２５Ａのそれぞれが、該リブ２５Ａの先端（Ｘ軸方向の先端）を内部スペーサ２Ａのベース２０Ａに隣接する蓄電素子１に当接させることにより、ベース２０Ａと該ベース２０Ａに隣接する蓄電素子１（詳しくは、第一壁１００ｃ）との間に冷却流体の流通可能な空間（通風路）２０３が形成される。即ち、各通風路２０３は、内部スペーサ２Ａのベース２０Ａとリブ２５Ａと蓄電素子１とによって規定される流路空間である。通風路２０３には、蓄電素子１を冷却するための冷却流体（例えば、空気）が供給される。この通風路２０３は、Ｙ軸方向に延び、冷却流体を蓄電素子１の第一壁１００ｃに直接接触させつつＹ軸方向に流通させる。本実施形態の蓄電装置では、内部スペーサ２Ａのベース２０Ａの第一面と蓄電素子１との間、及び内部スペーサ２Ａのベース２０Ａの第二面と蓄電素子１との間のそれぞれに通風路２０３が形成される。
【００４８】
規制部２１Ａは、Ｘ軸方向の両側にある蓄電素子１の内部スペーサ２Ａ（ベース２０Ａ）に対するＹ−Ｚ平面方向の位置ずれを抑える（規制する）。これにより、規制部２１Ａは、内部スペーサ２Ａに隣接する二つの蓄電素子１同士の相対移動を規制できる。具体的に、規制部２１Ａは、ベース２０からＸ軸方向の両側にそれぞれ延びる。即ち、規制部２１Ａは、内部スペーサ２Ａのベース２０Ａの第一面に隣り合う蓄電素子１に向かってベース２０Ａから延びると共に、内部スペーサ２Ａのベース２０Ａの第二面に隣り合う蓄電素子１とに向かって内部スペーサ２Ａのベース２０Ａから延びる。これらの規制部２１Ａが蓄電素子１の四隅を保持する（拘束する）ことによって、蓄電素子１の内部スペーサ２Ａ（ベース２０Ａ）に対するＹ−Ｚ平面方向の位置ずれが規制される。
【００４９】
本実施形態の蓄電装置は、上述のように、複数の蓄電素子１を備え、内部スペーサ２Ａは、隣り合う蓄電素子１同士の間のそれぞれに配置されている。このため、本実施形態の蓄電装置は、複数の内部スペーサ２Ａを備える。
【００５０】
次に、外部スペーサ２Ｂについて説明する。外部スペーサ２Ｂは、図４及び図５に示すように、蓄電素子１に並ぶように配置されるベース２０Ｂと、ベース２０Ｂから該ベース２０Ｂと隣接する蓄電素子１に向かって延びるリブ２０１Ｂと、を有する。この外部スペーサ２Ｂは、該ベース２０Ｂに隣接する蓄電素子１の該ベース２０Ｂに対する位置ずれを抑える規制部２１Ｂも有する。また、外部スペーサ２Ｂは、ベース２０Ｂの第二面から終端部材３０に向けて突出する外部接触部２４Ｂであって、終端部材３０に当接する外部接触部２４Ｂを有する。
【００５１】
本実施形態の外部スペーサ２Ｂは、ベース２０Ｂと保持部材３の後述する終端部材３０とが対向する。即ち、外部スペーサ２Ｂは、蓄電素子１と終端部材３０との間に配置される。これに伴い、外部スペーサ２Ｂは、ベース２０Ｂの終端部材３０と対向する位置に、終端部材３０と嵌合する嵌合部２２Ｂを有する。即ち、外部スペーサ２Ｂは、ベース２０Ｂに対する終端部材３０の位置を決定するための嵌合部２２Ｂであって、ベース２０Ｂの第二面に形成される嵌合部２２Ｂを有する。また、外部スペーサ２Ｂは、ベース２０Ｂに対する終端部材３０の位置を決定するための軸部２３Ｂであって、ベース２０Ｂの第二面から突出した軸部２３Ｂを有する。
【００５２】
この外部スペーサ２Ｂでは、内部スペーサ２Ａと同様に、外部スペーサ２Ｂの中央部領域の剛性が、前記中央部領域の周辺の他の領域（以下では、外部スペーサ２Ｂの他の領域という。）の剛性よりも高くなるようにリブ２０１Ｂが形成されている。詳しくは、以下の通りである。
【００５３】
外部スペーサ２Ｂのベース２０Ｂは、蓄電素子１（詳しくは、ケース本体１００の第一壁１００ｃ）に沿って拡がる。具体的に、外部スペーサ２Ｂのベース２０Ｂは、Ｘ軸方向と直交する方向（Ｙ−Ｚ平面方向）に拡がる平板状の部位である。この外部スペーサ２Ｂのベース２０Ｂは、蓄電素子１（詳しくは、ケース本体１００の第一壁１００ｃ）と対向する第一面、及び該第一面とは反対側の第二面を有する。この外部スペーサ２Ｂのベース２０Ｂは、Ｘ軸方向視において、略矩形状（蓄電素子１に対応する形状）である。このベース２０Ｂは、蓄電素子１の第一壁１００ｃと略同等の（対応する）大きさである。以下では、外部スペーサ２Ｂのベース２０Ｂにおける蓄電素子１の第一壁１００ｃの中央部（本実施形態の例ではＺ軸方向における中央部）と対向する領域を中央部領域２０５Ｂと称し、該中央部領域２０５Ｂの周辺領域を他の領域２０６Ｂと称する（図５参照）。また、外部スペーサ２Ｂにおいて、ベース２０Ｂの中央部領域２０５Ｂと該領域２０５Ｂに設けられたリブ２０１Ｂとを含む領域を、外部スペーサ２Ｂの中央部領域と称し、ベース２０Ｂの他の領域２０６Ｂと該領域２０６Ｂに設けられたリブ２０１Ｂとを含む領域を外部スペーサ２Ｂの他の領域と称する。
【００５４】
蓄電装置において、外部スペーサ２Ｂのベース２０Ｂの第一面と蓄電素子１との間に、冷却用の流体を通過させるための通風路２０３が形成される。本実施形態の蓄電装置では、蓄電素子１と外部スペーサ２Ｂのベース２０Ｂとの間に、リブ２０１Ｂによって通風路２０３が形成されている。
【００５５】
リブ２０１Ｂは、外部スペーサ２Ｂのベース２０ＢからＸ軸方向に延びる（突出する）と共に、Ｙ軸方向に延びる。本実施形態に係る外部スペーサ２Ｂのベース２０Ｂは、複数のリブ２０１Ｂを有する。そして、複数のリブ２０１Ｂのそれぞれは、Ｚ軸方向（長手方向と直交する方向）に互いに間隔をあけて互いに平行に配置される。これら複数のリブ２０１Ｂは、内部スペーサ２Ａにおけるリブ２５Ａの配置と同様に、配置される。即ち、各リブ２０１Ｂは、ベース２０Ｂの他の領域２０６Ｂより、ベース２０Ｂの中央部領域２０５Ｂにおいて密に設けられる。本実施形態の外部スペーサ２Ｂでは、ベース２０Ｂの中央部領域２０５Ｂに五つのリブ２０１Ｂが設けられ、Ｚ軸方向に中央部領域２０５Ｂを挟む二つの他の領域２０６Ｂに、一つのリブ２０１Ｂがそれぞれ設けられている。これら複数のリブ２０１Ｂのそれぞれが、該リブ２０１Ｂの先端（Ｘ軸方向の先端）を外部スペーサ２Ｂのベース２０Ｂに隣接する蓄電素子１に当接させることにより、ベース２０Ｂと該ベース２０Ｂに隣接する蓄電素子１（詳しくは、第一壁１００ｃ）との間に冷却流体が流通可能な空間（通風路）２０３が形成される（図１参照）。
【００５６】
外部接触部２４Ｂは、外部スペーサ２Ｂのベース２０Ｂから終端部材３０に向けて突出し、終端部材３０に当接している。そのため、蓄電装置では、外部スペーサ２Ｂと、終端部材３０との間に隙間が形成されている。
【００５７】
規制部２１Ｂは、外部スペーサ２Ｂの第一面に隣り合う蓄電素子１のベース２０Ｂに対する位置ずれ（相対移動）を規制する。この規制部２１Ｂは、外部スペーサ２Ｂのベース２０Ｂから、該ベース２０Ｂの第一面と隣り合う蓄電素子１に向かって延びる。これらの規制部２１Ｂが蓄電素子１の四隅を保持する（拘束する）ことによって、蓄電素子１の外部スペーサ２Ｂ（ベース２０Ｂ）に対するＹ−Ｚ平面方向の位置ずれが規制される。
【００５８】
本実施形態の蓄電装置は、以上のように構成される外部スペーサ２Ｂを一対備える。外部スペーサ２Ｂは、複数の蓄電素子１のうちの最も端にある蓄電素子１に隣り合う。即ち、外部スペーサ２Ｂは、整列する複数の蓄電素子１をＸ軸方向において挟み込むように一対設けられる。
【００５９】
保持部材３は、図１及び図４に示すように、整列する複数の蓄電素子１のＸ軸方向における外側に配置される一対の終端部材３０と、該一対の終端部材３０のそれぞれを接続するフレーム３１とを備える。
【００６０】
一対の終端部材３０のそれぞれは、蓄電素子１（詳しくは、第一壁１００ｃ）に沿って拡がる。本実施形態の終端部材３０は、Ｙ−Ｚ平面方向に拡がる。終端部材３０は、外部スペーサ２Ｂと対向する第一面と、該第一面とは反対側の第二面とを有する。本実施形態の終端部材３０は、Ｘ軸方向視において略矩形状（蓄電素子１と対応する形状）であり、各角部のそれぞれに形成される複数（本実施形態では、四つ）の貫通穴３００ｂを有する。また、終端部材３０は、外部スペーサ２Ｂのベース２０Ｂから延びる外部接触部２４Ｂに当接する圧接部３００を有する。圧接部３００は、外部スペーサ２Ｂの軸部２３Ｂに対応する位置に形成される挿入穴３００ａを有する。この挿入穴３００ａには、外部スペーサ２Ｂの軸部２３Ｂが挿入される。
【００６１】
フレーム３１は、一対の終端部材３０同士を接続する接続部であって蓄電素子ブロック（内部スペーサ２Ａを介して整列する複数の蓄電素子１）の角部に沿って延びる複数（本実施形態の例では二つ）の接続部３１０，３１１と、接続部３１０，３１１を補強する少なくとも一つの補強部３１４と、を有する。本実施形態の保持部材３は、Ｙ軸方向の一端と他端とにそれぞれフレーム３１を有する。即ち、保持部材３は、一対のフレーム３１を有する。一対のフレーム３１のそれぞれは、蓄電素子１の蓋板１０１と対応する位置に配置される第一接続部３１０と、蓄電素子１の閉塞部１００ａと対応する位置に配置される第二接続部３１１とを有する。
【００６２】
第一接続部３１０は、Ｘ軸方向に延びる。第二接続部３１１も、第一接続部３１０と同様に、Ｘ軸方向に延びる。
【００６３】
また、フレーム３１は、第一接続部３１０と第二接続部３１１とを接続する支持部３１２を有する。支持部３１２は、Ｚ軸方向に延びる。この支持部３１２は、Ｙ軸方向において蓄電素子１に対して同じ側にある一対の接続部（第一接続部３１０及び第二接続部３１１）の対応する端部同士を接続する。
【００６４】
補強部３１４は、隣り合う接続部同士（即ち、第一接続部３１０と第二接続部３１１と）を接続する。これにより、フレーム３１において、第一接続部３１０及び第二接続部３１１の変形が抑えられる。
【００６５】
第一接続部３１０は、両端に第一固定部３１３ａを有する。また、第二接続部３１１は、両端に第二固定部３１３ｂを有する。
【００６６】
第一接続部３１０の一方の端部に形成される第一固定部３１３ａは、一方の終端部材３０における貫通穴３００ｂの周縁部分とＸ軸方向において対向する。第一接続部３１０の他方の端部に形成される第一固定部３１３ａは、他方の終端部材３０における貫通穴３００ｂの周縁部分とＸ軸方向において対向する。そして、第一接続部３１０の両端に形成される第一固定部３１３ａのそれぞれは、貫通穴３００ｂと対応する位置に第一穴部３１３ｃが形成されている。第一接続部３１０は、終端部材３０の貫通穴３００ｂと、第一固定部３１３ａの第一穴部３１３ｃとに挿通したボルトにナットを螺合させることによって該終端部材３０に連結される。
【００６７】
第二接続部３１１の一方の端部に形成される第二固定部３１３ｂは、一方の終端部材３０における貫通穴３００ｂの周縁部分とＸ軸方向において対向する。第二接続部３１１の他方の端部に形成される第二固定部３１３ｂは、他方の終端部材３０における貫通穴３００ｂの周縁部分とＸ軸方向において対向する。そして、第二接続部３１１の両端に形成される第二固定部３１３ｂのそれぞれは、貫通穴３００ｂと対応する位置に第二穴部３１３ｄが形成されている。第二接続部３１１は、終端部材３０の貫通穴３００ｂと、第二固定部３１３ｂの第二穴部３１３ｄとに挿通したボルトにナットを螺合させることによって該終端部材３０に連結される。
【００６８】
インシュレータ４は、絶縁性を有する材料で構成され、蓄電素子１と保持部材３とを絶縁する。本実施形態の蓄電装置は、図１及び図４に示すように、一対のインシュレータ４を備える。一対のインシュレータ４のそれぞれは、第一接続部３１０とスペーサ２（内部スペーサ２Ａ及び外部スペーサ２Ｂ）との間に配置される第一絶縁部４０と、第二接続部３１１とスペーサ２（内部スペーサ２Ａ及び外部スペーサ２Ｂ）との間に配置される第二絶縁部４１とを有する。
【００６９】
また、インシュレータ４は、第一絶縁部４０と第二絶縁部４１とを接続する第三絶縁部４２を有する。さらに、インシュレータ４は、第一絶縁部４０の途中位置と第二絶縁部４１の途中位置とを接続する第四絶縁部４３を有する。
【００７０】
第一絶縁部４０は、蓄電素子１及びスペーサ２に沿ってＸ軸方向に延びる。この第一絶縁部４０は、第一接続部３１０とスペーサ２の規制部２１Ａ，２１Ｂとに挟まれている。これにより、第一絶縁部４０は、蓄電素子１と第一接続部３１０とを絶縁する。
【００７１】
第二絶縁部４１は、蓄電素子１及びスペーサ２に沿ってＸ軸方向に延びる。この第二絶縁部４１は、第二接続部３１１とスペーサ２の規制部２１Ａ，２１Ｂとに挟まれている。これにより、第二絶縁部４１は、蓄電素子１と第二接続部３１１とを絶縁する。
【００７２】
一対のインシュレータ４のそれぞれは、二つの第三絶縁部４２を有する。この二つの第三絶縁部４２のそれぞれは、第一絶縁部４０と第二絶縁部４１との対応する端部同士、即ち、第一絶縁部４０の第一端と第二絶縁部４１の第一端、及び第一絶縁部４０の第二端と第二絶縁部４１の第二端を接続する。この第三絶縁部４２は、外部スペーサ２Ｂと、フレーム３１の支持部３１２との間に配置される。
【００７３】
第四絶縁部４３は、Ｘ軸方向においてフレーム３１の補強部３１４に対応する位置に配置されている。即ち、第四絶縁部４３は、補強部３１４と、該補強部３１４とＹ軸方向に重なる蓄電素子１との間に配置される。これにより、補強部３１４と、該補強部３１４とＹ軸方向に重なる蓄電素子１とが絶縁される。
【００７４】
以上の蓄電装置によれば、蓄電素子１にスペーサ２（内部スペーサ２Ａ、外部スペーサ２Ｂ）が隣接し、さらに、スペーサ２のリブ２５Ａ，２０１Ｂがベース２０Ａ，２０Ｂから該ベース２０Ａ，２０Ｂと隣り合う蓄電素子１に向かって延びる。そのため、スペーサ２のリブ２５Ａ，２０１Ｂは、蓄電素子１の対向面（第一壁１００ｃの表面）に当接している。これにより、蓄電素子１の第一壁１００ｃとベース２０Ａ，２０Ｂとの間に空間（通風路）２０３が形成される。従って、蓄電素子１の第一壁１００ｃとベース２０Ａ，２０Ｂとの間の空間（通風路）２０３に冷却流体を流通させることで蓄電素子１を冷却することができる。
【００７５】
また、本実施形態の蓄電装置におけるスペーサ２では、該スペーサ２の中央部領域２００Ａ，２０５Ｂの剛性が該スペーサ２の他の領域の剛性よりも高くなるようにリブ２５Ａ，２０１Ｂが形成されている。そのため、蓄電装置では、蓄電素子１における第一壁１００ｃの中央部の変形（膨張）が抑えられると共に、該中央部領域２００Ａ，２０５Ｂのリブ２５Ａ，２０１Ｂが前記変形しようとする第一壁１００ｃに押されて変形する（潰れる）のが抑えられる。詳しくは、以下の通りである。
【００７６】
蓄電装置（蓄電素子１）の充放電が繰り返されることで蓄電素子１の電極体１５（図７参照）が膨張すると、ケース１０も膨張して第一壁１００ｃが変形（スペーサ２に向けて凸状に湾曲）しようとする。このとき、蓄電装置では、内部スペーサ２Ａを介してＸ軸方向に並ぶ複数の蓄電素子１が、保持部材３によって緊縛（拘束）されている。このため、蓄電素子１の第一壁１００ｃが変形できず、これにより、蓄電素子１間に配置された内部スペーサ２Ａには、図７に示すように、中央部ほど大きな力Ｆが加わる。
【００７７】
しかし、本実施形態のスペーサ２では、該スペーサ２の中央部領域（第一壁１００ｃの中央部と対向する領域であって、ベース２０Ａ，２０Ｂの中央部領域２００Ａ，２０５Ｂと対応する領域）の剛性が該スペーサ２の他の領域の剛性よりも高くなるようにリブ２５Ａ，２０１Ｂが形成されている。このため、蓄電素子１における第一壁１００ｃの中央部の変形（膨張）が抑えられると共に、変形しようとする第一壁１００ｃに押されてスペーサ２の中央部領域のリブ２５Ａ，２０１Ｂが変形する（潰れる）のが抑えられる。
【００７８】
従って、蓄電装置では、蓄電素子１の第一壁１００ｃとスペーサ２のベース２０Ａ，２０Ｂとの間の空間（通風路）２０３の減少が抑えられ、これにより、蓄電素子１の冷却性能の低下が抑えられる。
【００７９】
尚、本発明の蓄電装置は、上記実施形態に限定されるものではなく、本発明の要旨を逸脱しない範囲内において種々変更を加え得ることは勿論である。
【００８０】
スペーサ２の中央部領域２００Ａ、２０５Ｂの剛性が該スペーサ２の他の領域２０１Ａ、２０６Ｂの剛性よりも高くなるようなリブ２５Ａ，２０１Ｂの具体的な構成は、限定されない。
【００８１】
上記実施形態の蓄電装置では、リブ２５Ａ，２０１Ｂが、ベース２０Ａ，２０Ｂの他の領域２０１Ａ，２０６Ｂよりも、ベース２０Ａ，２０Ｂの中央部領域２００Ａ，２０５Ｂにおいて密に設けられることによって、スペーサ２の中央部領域の剛性を、該スペーサ２の他の領域の剛性よりも高くしているが、例えば、ベース２０Ａ，２０Ｂの中央部領域２００Ａ，２０５Ｂに設けられるリブ２５Ａ，２０６Ｂを、ベース２０Ａ，２０Ｂの他の領域２００Ａ，２０５Ｂに設けられるリブ２５Ａ，２０６Ｂよりも硬質の材料によって構成することで、スペーサ２の中央部領域の剛性を、該スペーサ２の他の領域の剛性よりも高くしてもよい。この場合、具体的には、図８に示すように、リブ２５ＡをＺ軸方向に等間隔になるように配置し、内部スペーサ２Ａのベース２０Ａの中央部領域２００Ａに設けられるリブ２５Ａを、該ベース２０Ａの他の領域２０１Ａに設けられるリブ２５Ａより硬質な材料によって構成する。
【００８２】
また、上記実施形態の蓄電装置では、Ｚ軸方向において、スペーサ２の中央部領域の剛性を該スペーサ２の他の領域の剛性より高くなるようにリブ２５Ａ，２０１Ｂが形成されているが、この構成に限定されない。図９に示すように、リブ２５Ａが、ベース２０ＡのＺ軸方向及びＹ軸方向における中央部領域２００Ａ及び２０３Ａにおいて、その周囲の領域２０１Ａ，２０４Ａよりも、密に設けられてもよい。この場合、特に冷却流体の流れがスムーズとなり、効果的に蓄電素子１を冷却することができる。尚、上記実施形態では、リブ２５Ａは、Ｙ軸方向に延びる細長い棒形状であるが、この構成に限定されない。例えば、Ｙ軸方向及びＺ軸方向の寸法が同じ若しくは略同じである突起部であってもよい。具体的に、リブ２５Ａは、円盤状の突起部であってもよい。但し、冷却風のスムーズな流通の観点から、リブ２５Ａが上記実施形態のように細長い棒形状であることが好ましい。この場合、特に効果的かつ効率的に蓄電素子１を冷却することが可能となる。
【００８３】
また、スペーサ２の中央部領域の剛性を該スペーサ２の他の領域の剛性よりも高くするために、図１０に示すように、ベース２０Ａの中央部領域２００Ａのリブ２５Ａを該ベース２０Ａの他の領域２０１Ａのリブ２５Ａより厚肉にしてもよい。
【００８４】
また、図１１に示すように、ベース２０Ａの中央部領域２００Ａに設けられるリブ２５Ａの延出量が、ベース２０Ａの他の領域２０１Ａに設けられるリブ２５Ａの延出量よりも大きく設定されてもよい。かかる構成によれば、蓄電装置として組み上がった状態では、図１２に示すように、蓄電素子１の第一壁１００ｃによるベース２０Ａの中央部領域２００Ａに設けられるリブ２５Ａの圧縮量が、蓄電素子１の第一壁１００ｃによるベース２０Ａの他の領域２０１Ａに設けられるリブ２５Ａの圧縮量よりも大きくなる。これにより、ベース２０Ａの中央部領域２００Ａに設けられるリブ２５Ａの剛性がベース２０Ａの他の領域２０１Ａに設けられるリブ２５Ａの剛性よりも高まる。そのため、内部スペーサ２Ａの中央部領域２００Ａの剛性が内部スペーサ２Ａの他の領域２０１Ａの剛性よりも高められ、これにより、蓄電素子１の第一壁１００ｃの変形が抑えられると共に、内部スペーサ２Ａの中央部領域２０１Ａのリブ２５Ａが前記変形しようとする第一壁１００ｃに押されて変形するのが抑えられる。ここで、図１２では、ベース２０Ａの中央部領域２００Ａに設けられるリブ２５Ａの圧縮状態を誇張して表現している。
【００８５】
また、図１３に示すように、ベース２０Ａの他の領域２０１Ａに設けられるリブ２５Ａの延出量が、ベース２０Ａの中央部領域２００Ａに設けられるリブ２５Ａの延出量よりも大きく設定されてもよい。この場合、ベース２０Ａの他の領域２０１Ａに設けられるリブ２５Ａは、ベース２０Ａの中央部領域２００Ａに設けられるリブ２５Ａよりも高い柔軟性を有する。
【００８６】
かかる構成によれば、内部スペーサ２Ａの中央部領域２００Ａのリブ２５Ａが内部スペーサ２Ａの他の領域２０１Ａのリブ２５Ａより硬い（剛性が高い）ため、蓄電素子１の第一壁１００ｃが変形したときに該中央部領域のリブ２５Ａが変形し難い。このため、蓄電素子１の第一壁１００ｃと内部スペーサ２Ａのベース２０Ａとの間の空間（通風路）２０３の減少が抑えられ、その結果、蓄電素子の冷却性能の低下が抑えられる。しかも、スペーサ２Ａの他の領域２０１Ａのリブ２５Ａが柔軟性を有しているため、蓄電素子１の第一壁１００ｃが変形したときに、第一壁１００ｃの外側ほどベース２０Ａから離間して間隔が大きくなるが、第一壁１００ｃの変形前には該第一壁１００ｃによってベース２０Ａ側に押さえ付けられ圧縮されていた他の領域２０１Ａのリブ２５Ａ（図１４参照）が、第一壁１００ｃのベース２０Ａからの離間に追従して延びる（図１５参照）。これにより、蓄電素子１の第一壁１００ｃが変形しても該第一壁１００ｃと他の領域２０１Ａのリブ２５Ａとの接触が維持される。即ち、第一壁１００ｃと他の領域２０１Ａのリブ２５Ａとの接触位置での気密状態が維持される。これにより、第一壁１００ｃが変形したとしても、ベース２０Ａと第一壁１００ｃとの間に形成された空間（通風路）２０３から蓄電装置の外部に冷却流体が漏れるのを防ぐことができる。このように、蓄電素子１の第一壁１００ｃと内部スペーサ２Ａのベース２０Ａとの間の空間（通風路）２０３の減少を防ぐと共に、前記空間（通風路）２０３の気密性を維持して該空間（通風路）２０３に供給される冷却流体の外部への漏れを防ぐことができる。ここで、図１４及び図１５では、ベース２０Ａの他の領域２０１Ａに設けられるリブ２５Ａの圧縮量状態を誇張して表現している。
【００８７】
以上では、内部スペーサ２Ａにおけるリブ２５Ａの配置、形状等を説明したが、外部スペーサ２Ｂにおけるリブ２０１Ｂも、内部スペーサ２Ａにおけるリブ２５Ａの配置、形状等することで、同様の効果が得られる。
【００８８】
スペーサ２の中央部領域２００Ａ、２０５Ｂの剛性が該スペーサ２の他の領域２０１Ａ、２０６Ｂの剛性よりも高いか否かは、例えば、以下の方法により判断できる。即ち、スペーサ２のベース２０を板状物で平行に挟み、スペーサ２の厚さ方向（Ｘ軸方向）に圧縮する力を該ベース２０に作用させる。そして、所定の変位量に達したときの、当該板状物に作用させている力（圧縮力）を測定する。スペーサ２の中央部領域２００Ａ、２０５Ｂとスペーサ２の他の領域２０１Ａ、２０６Ｂとで、当該測定を行い、当該中央部領域２００Ａ、２０５Ｂのほうが、当該他の領域２０１Ａ、２０６Ｂよりも上述の圧縮力が大きければ、スペーサ２の中央部領域２００Ａ、２０５Ｂの剛性が該スペーサ２の他の領域２０１Ａ、２０６Ｂの剛性よりも高いといえる。
【符号の説明】
【００８９】
１…蓄電素子、１０…ケース、１００…ケース本体、１００ａ…閉塞部、１００ｂ…胴部、１００ｃ…第一壁、１００ｄ…第二壁、１０１…蓋板、１０１ａ…ガス排出弁、１１…外部端子、１５…電極体、２…スペーサ、２０…ベース、２０３…通風路、２Ａ…内部スペーサ、２０Ａ…ベース、２００Ａ…中央部領域、２０１Ａ…他の領域、２１Ａ…規制部、２２Ａ…弁カバー部、２５Ａ…リブ、２Ｂ…外部スペーサ、２０Ｂ…ベース、２０１Ｂ…リブ、２０５Ｂ…中央部領域、２０６Ｂ…他の部領域、２１Ｂ…規制部、２２Ｂ…嵌合部、２３Ｂ…軸部、２４Ｂ…外部接触部、３…保持部材、３０…終端部材、３００…圧接部、３００ａ…挿入穴、３００ｂ…貫通穴、３１…フレーム、３１０…第一接続部、３１１…第二接続部、３１２…支持部、３１３ａ…第一固定部、３１３ｂ…第二固定部、３１３ｃ…第一穴部、３１３ｄ…第二穴部、３１４…補強部、４…インシュレータ、４０…第一絶縁部、４１…第二絶縁部、４２…第三絶縁部、４３…第四絶縁部
【図１】
2016115481.tif 000003
【図２】
2016115481.tif 000004
【図３】
2016115481.tif 000005
【図４】
2016115481.tif 000006
【図５】
2016115481.tif 000007
【図６】
2016115481.tif 000008
【図７】
2016115481.tif 000009
【図８】
2016115481.tif 000010
【図９】
2016115481.tif 000011
【図１０】
2016115481.tif 000012
【図１１】
2016115481.tif 000013
【図１２】
2016115481.tif 000014
【図１３】
2016115481.tif 000015
【図１４】
2016115481.tif 000016
【図１５】
2016115481.tif 000017